(57)【要約】【課題】記録メディアに測定データの書き込みが開始される所定時間前から表示画面上に書き込み状況を識別可能に表示し、書き込み処理中に誤って記録メディアを取り出すことを防止できる。【解決手段】外部から入力される各種測定データを順次取り込み、この取り込んだ各種測定データの経時変化を表示画面上に表示するとともに、蓄積された測定データを定期的に記録メディア２に書き込んでいる記録計１において、記録メディア２に対する書き込み開始所定時間前に記録メディア２の取り出しの注意を促す表示と、記録メディア２に対する書き込み中に記録メディア２の取り出しの禁止を促す表示とを、予め設定された書き込み周期及び／又は内部メモリの残容量に応じて切替え表示する書き込み状況表示手段６ｂを備える。【選択図】図１
2007132673.tif 000002
【特許請求の範囲】
【請求項１】
外部から入力される各種測定データを順次取り込み、この取り込んだ各種測定データの経時変化を表示画面上に表示するとともに、蓄積された前記測定データを定期的に記録メディアに書き込んでいる記録計において、
前記記録メディアに対する書き込み状況を識別可能に表示する書き込み状況表示手段を備えたことを特徴とする記録計。
【請求項２】
外部から入力される各種測定データを順次取り込み、この取り込んだ各種測定データの経時変化を表示画面上に表示するとともに、蓄積された前記測定データを定期的に記録メディアに書き込んでいる記録計において、
前記記録メディアに対する書き込み開始所定時間前に該記録メディアの取り出しの注意を促す表示と、前記記録メディアに対する書き込み中に該記録メディアの取り出しの禁止を促す表示とを、予め設定された書き込み周期及び／又は内部メモリの残容量に応じて切替え表示する書き込み状況表示手段を備えたことを特徴とする記録計。
【発明の詳細な説明】
【技術分野】
【０００１】
本発明は、例えば、熱電対や測温抵抗体などの温度検出素子からの温度信号の他、接点信号や電圧信号などの外部からの各種入力信号の測定データの経時変化（時間経過に対する値の変化）をチャートとして記録紙に変えて表示画面上に表示するペーパーレス記録計に関する。
【背景技術】
【０００２】
従来より、例えば、熱電対や測温抵抗体などの温度検査素子からの温度信号、接点信号、電圧信号などの信号を取り込み、この取り込んだ信号を各チャンネルごとの測定データとしてその経時変化を表示画面上にチャート表示するペーパーレスの記録計が既に知られている。
【０００３】
図５は下記特許文献１に開示される記録計の正面図である。図５に示すように、この記録計５１は、表示部５２を有し、例えば、熱電対や測温抵抗体などの温度検出素子からの温度信号、接点信号、電圧信号などを入力信号として取り込み、この取り込んだ信号を各チャンネルごとの測定データとして表示部５２の表示画面５２ａ上に表示している。その際、表示部５２の表示画面５２ａ上には、各チャンネルごとの測定データの経時変化がチャート表示されるようになっている。これにより、あたかも記録紙が画面を流れるように各チャンネルごとの測定データをトレンド表示するペーパーレス記録計が構成される。
【特許文献１】特公平５−３３７２５号公報
【発明の開示】
【発明が解決しようとする課題】
【０００４】
ところで、フロッピー（登録商標）ディスク、コンパクトフラッシュ（登録商標）などの記録メディアは、データ書き込み中に取り出すと正しく書き込めないばかりかメディア自体が破損することがある。これを防ぐために、一般的な機器では、記録メディアにデータが書き込まれている最中はＬＥＤランプなどを点灯させてユーザに知らせたり、記録メディアを取り出す前にメディアへのアクセスを禁止するようユーザに操作させるなどの処理を行っている。
【０００５】
しかしながら、上述したような（図５に示す）従来のペーパーレス記録計５１では、測定データを一旦内蔵メモリなどに記憶し、ある程度貯まった時点、又はユーザが設定した周期で記録メディアに書き込むため、いつ書き込みが行われるかをユーザーが正確に把握することは難しい。また、データ書き込み時にＬＥＤなどを点灯させたとしても、ちょうど記録メディアを取り出そうとしたときに書き込みが始まってしまうようなこともあり得る。
【０００６】
さらに、ペーパーレス記録計では、２４時間停止させずに測定データを記録し続けなければならない状況で使用することがある。このような場合、記録メディアを取り出す前にユーザ操作によって一時的に書き込み禁止状態にする方法も考えられるが、この操作を知らない者が操作すると結局書き込み中に記録メディアを取り出してしまう可能性がある。
【０００７】
そこで本発明は、上記状況に鑑みてなされたもので、記録メディアに測定データの書き込みが開始される所定時間前から表示画面上に該データの書き込み状況を識別可能に表示してユーザに知らせ、測定データの書き込み処理中に誤って記録メディアを取り出すことを防止できる記録計を提供することを目的としている。
【課題を解決するための手段】
【０００８】
次に、上記の課題を解決するための手段を、実施の形態に対応する図面を参照して説明する。
本発明の請求項１記載の記録計１は、外部から入力される各種測定データを順次取り込み、この取り込んだ各種測定データの経時変化を表示画面１１上に表示するとともに、蓄積された前記測定データを定期的に記録メディア２に書き込んでいる記録計１において、
前記記録メディア２に対する書き込み状況を識別可能に表示する書き込み状況表示手段６ｂを備えたことを特徴とする。
【０００９】
このような構成によれば、記録メディア２に対する測定データの書き込み状況を表示画面１１上に識別表示することにより、この表示をユーザが見ることで現在記録メディア２に書き込みが行われているか否かを識別できる。
【００１０】
請求項２記載の記録計は、外部から入力される各種測定データを順次取り込み、この取り込んだ各種測定データの経時変化を表示画面１１上に表示するとともに、蓄積された前記測定データを定期的に記録メディア２に書き込んでいる記録計１において、
前記記録メディア２に対する書き込み開始所定時間前に該記録メディア２の取り出しの注意を促す表示と、前記記録メディア２に対する書き込み中に該記録メディア２の取り出しの禁止を促す表示とを、予め設定された書き込み周期及び／又は内部メモリの残容量に応じて切替え表示する書き込み状況表示手段６ｂを備えたことを特徴とする。
【００１１】
このような構成によれば、記録メディア２に対する測定データの書き込み状況に応じて表示状態を変えて表示することにより、この表示によりユーザは現在記録メディア２に書き込みが行われているか否かを識別できる。特に、測定データの書き込みが開始される所定時間前になると注意を促す表示をすることで、記録メディア２に書き込みが始まるタイミングを把握することができる。
また、記録メディア２に対する書き込み状況を書き込み周期及び又は内部メモリの残容量に応じて選択的に切替え表示することで、用途に適した方を選択可能となる。
【発明の効果】
【００１２】
本発明による記録計によれば、記録メディアに測定データの書き込みが行われているときに誤って記録メディアを取り出すことを防止できる。特に、記録メディアに書き込みが開始される所定時間前になると注意を促すことで、ユーザは記録メディアに書き込みが始まるタイミングを把握でき、記録メディアを取り出そうとしたときにデータの書き込みが開始されるというような事故を防止できる。
【発明を実施するための最良の形態】
【００１３】
以下、本発明の実施の形態を図面を参照して具体的に説明する。
図１は本発明に係る記録計の概略構成を示すブロック図、図２は同記録計の表示画面の表示状態の一例を示す図、図３は同記録計の表示画面上に記録メディアへの書き込み状況を表示した図、図４は同記録計の表示画面上に記録メディアがセットされていない状態を表示した図である。
【００１４】
この実施の形態による記録計は、外部から入力される各種測定データを順次取り込み、この取り込んだ測定データの経時変化を表示画面上に表示し、あたかも記録紙が画面上を流れるように測定データをトレンド表示するペーパーレス記録計である。この記録計では、入力された測定データを一旦内部メモリに記憶し、定期的にフロッピー（登録商標）ディスクなどの記録メディアに書き込んでいる。
【００１５】
図１に示すように、記録計１は、設定入力部３と、記憶部４と、制御部５と、表示部６とで概略構成されている。また、この記録計１には、フロッピー（登録商標）ディスク、コンパクトフラッシュ（登録商標）などの記録メディア２がセットされている。
【００１６】
設定入力部３は、例えば、ユーザにより手動操作される装置の正面操作パネルに設けられた複数の操作キーなどからなる。この設定入力部３では、チャンネルの選択、後述する表示部６の表示画面１１上に表示する各チャンネルの測定データを所望の表示形態で表示する際の各種設定を行っている。
【００１７】
設定入力部３による設定内容としては、例えば、表示画面上にチャート表示する測定データのチャンネル数の設定、各チャンネルの計測レンジを示すスケールの範囲設定、各チャンネルの表示色の設定、各測定データを複数の分割領域で表示する場合の表示形態の設定、設定内容の保存先番号の設定、使用する温度検出素子の種類（例えば、熱電対では、Ｋ熱電対、Ｅ熱電対、Ｊ熱電対、Ｔ熱電対など）の設定、データの取り込み時間間隔である収録インターバルの設定、警報を出力する上下限警報値の設定、トレンド設定、レイアウト変更、収録開始・停止の設定などがある。
【００１８】
さらに、図１に示すように、設定入力部３は、書き込み周期設定手段３ａを備えている。
書き込み周期設定手段３ａは、例えば、正面操作パネルに設けられた方向キー（図２参照）からなり、記録メディア２に測定データを書き込む周期（所定時間）を入力するときに操作される。
【００１９】
記憶部４は、例えば、ＲＯＭ、ＲＡＭなどで構成され、データ収録の処理に関する各種処理プログラムの他、外部から入力される各チャンネルごとの入力信号を測定データとしてデータ記憶手段４ａに記憶している。また、記憶部４は、上述した書き込み周期設定手段３ａによって設定された測定データの書き込み周期を記憶する書き込み周期記憶手段４ｂを備えている。
【００２０】
制御部５は、例えば、ＣＰＵなどのマイクロプロセッサで構成され、設定入力部３により設定された各種設定情報や記憶部４の各種処理プログラムに基づき、例えば、図２に示す表示画面１１の各測定データの表示に関する処理を制御している。
【００２１】
この制御部５は、判別手段５ａと、書き込み制御手段５ｂと、表示制御手段５ｃとを備えている。
判別手段５ａは、記憶部４の書き込み周期記憶手段４ｂにユーザが設定した書き込み周期の時間を経過したか否かを判別している。そして、この設定時間を経過したときに、書き込み制御手段５ｂに書き込み許可信号を出力するとともに、後述する書き込み状況表示手段６ｂの表示状態を変えるために表示制御手段５ｃに表示信号を出力する。
【００２２】
また、判別手段５ａは、図示しない内部メモリの残容量が所定値を下回ったときに表示制御手段５ｃに表示信号を出力する構成としてもよい。この場合、ユーザによる書き込み周期の設定は不要となる。
【００２３】
さらに、判別手段５ａは、上述した書き込み周期及び内部メモリの残容量の両方に応じて表示信号を出力可能に構成し、ユーザが用途に適した方に切替え可能としてもよい。
【００２４】
書き込み制御手段５ｂは、判別手段５ａからの書き込み許可信号を受けると記録メディア２に内部メモリに蓄積された測定データの書き込みを始めるように制御している。
このとき、記録メディア２の容量不足などにより書き込めなかった分の測定データは、このまま内部メモリに蓄えられ、新しい記録メディアに書き込むことで測定データの欠落を防止できる。
【００２５】
前述した表示制御手段５ｃは、取り込んだ測定データに基づいて、図２に示す表示画面１１の測定データ表示区画や判別手段５ａからの表示信号に応じて表示画面１１上の記録メディアの書き込み状況を表示する表示制御信号を出力して表示部６の表示を制御している。
【００２６】
前述した表示部６は、表示制御手段５ｃからの表示信号により、図２に示すように、表示画面１１に各チャンネルごとの測定データの計測値や計測波形を表示している。また、後述するが、この表示画面１１には記録メディア２に対する測定データの書き込み状況を示すアイコンを表示している。
【００２７】
この表示部６は、例えば、液晶表示器で構成され、計測に関する各種表示を行っている。図１に示すように、表示部６は、データ表示手段６ａと、書き込み状況表示手段６ｂとを備えている。
【００２８】
データ表示手段６ａは、外部から順次取り込まれる各チャンネルごとの測定データの計測値や計測波形を表示画面１１に表示している（図２参照）。
【００２９】
前述した書き込み状況表示手段６ｂは、本実施の形態では、図２に示す表示画面１１の上部（図中一点鎖線で示す部分）に設けられている。
書き込み状況表示手段６ｂは、記録メディア２がセットされたことを示すフロッピー（登録商標）ディスクを模したアイコン１２と、記録メディア２への書き込み状況を示すＬＥＤランプを模したアイコン１３とで略構成されている。なお、図２に示すアイコン１２上にあらわれる矢印１４は測定データの書き込み処理中であることを示し、記録メディア２に測定データが書き込まれている間は上から下に移動を繰り返している。
【００３０】
次に、上述した構成による記録計において、記録メディアに対する測定データの書き込み状況を示す書き込み状況表示手段の動作例について図３を参照しながら説明する。
【００３１】
まず、図３（ａ）は記録メディア２への書き込みが行われていない状態を示し、ＬＥＤランプを模したアイコン１３を灰色表示している。これにより、ユーザは現在記録メディア２に書き込みが行われていないことを識別できる。また、このとき記録メディア２の取り出しが可能である。
【００３２】
次いで、図３（ｂ）は記録メディア２に書き込みが開始される所定時間前の状態を示している。この場合、ユーザにより設定された書き込み周期の時間の所定時間前になるとアイコン１３は黄色表示となる。これはユーザに注意を促す表示であり、もうすぐ記録メディア２に書き込みが始まることを示している。このアイコン１３が黄色表示のときの記録メディア２の取り出しを避けることで、例えば、記録メディア２を取り出したと同時に測定データの書き込みが始まるというような事故を防止できる。
なお、ＬＥＤアイコン１３の色は、交通信号などで注意を促すときに用いられる黄色が好ましいが、これに限定されず他の色であってもよい。また、本実施の形態では、記録メディア２に書き込みが開始される約５秒前からアイコン１３は黄色表示となる。
【００３３】
次いで、図３（ｃ）は記録メディア２に書き込み処理中の状態を示している。この場合、ユーザにより設定された書き込み周期の時間になると記録メディア２に書き込みが開始され、アイコン１３は黄色から赤色表示に変わる。これは記録メディア２の取り出し禁止を促す表示であり、このとき記録メディア２を取り出すことはできない。
なお、ＬＥＤアイコン１３の色は、禁止を促すときに多く用いられる赤色としているが、上記同様、これに限定されることはない。
【００３４】
また、図４に示すように、この記録計１に記録メディア２がセットされてない場合には、フロッピー（登録商標）ディスクを模したアイコン１２上に×印が表示される。
【００３５】
この実施の形態によれば、記録メディア２への書き込み状況に応じてアイコン１３の色を変え表示画面１１上に表示することにより、このアイコン１３をユーザが見ることで現在記録メディア２に書き込みが行われているか否かを知ることができる。特に、記録メディア２に書き込みが開始される所定時間（約５秒）前になると注意を促す黄色表示に変わることで、ユーザはもうすぐ記録メディア２に書き込みが始まることを把握できる。
【００３６】
なお、上述した実施の形態では、フロッピー（登録商標）ディスクを模したアイコン１２とＬＥＤランプを模したアイコン１３とで書き込み状況表示手段６ｂを構成し、このうちＬＥＤアイコン１３をインジケータ表示していたが、このＬＥＤアイコン１３を無くしてディスクアイコン１２に配色して書き込み状況を表示してもよい。また、このようなデザインに限定されず、様々なデザインのアイコンが考えられる。あるいは、例えば、「取り出し可」、「書き込み開始５秒前」、「取り出し不可（書き込み中）」などのように文字表示してもよい。
【図面の簡単な説明】
【００３７】
【図１】本発明に係る記録計の概略構成を示すブロック図である。
【図２】本発明に係る記録計の表示画面の表示状態の一例を示す図である。
【図３】（ａ）〜（ｃ）本発明に係る記録計の表示画面上に記録メディアへの書き込み状況をそれぞれ表示した図である。
【図４】本発明に係る記録計の表示画面上に記録メディアがセットされていない状態を表示した図である。
【図５】従来の記録計（ペーパーレス）を示す正面図である。
【符号の説明】
【００３８】
１…記録計
２…記録メディア
６ｂ…書き込み状況表示手段
１１…表示画面
【図１】
2007132673.tif 000003
【図２】
2007132673.tif 000004
【図３】
2007132673.tif 000005
【図４】
2007132673.tif 000006
【図５】
2007132673.tif 000007